(57)【要約】【課題】健康に関する健康情報について、解析対象地域全体より狭い領域ごとの解析結果を提供する。【解決手段】住民により使用される住民端末と通信ネットワークを介してデータ通信可能に接続された自治体サーバーは、住民端末から住民の健康に関する健康情報を取得し、健康情報を当該健康情報に係る住民と対応付けて記憶部に記憶させ、住民のそれぞれについて、当該住民に対応する健康情報を解析して、当該住民の個人健康リスクを算出する（ステップＳ４７，Ｓ４９）。自治体サーバーは、住民のそれぞれについて算出された個人健康リスク及び住民のそれぞれの居住位置に基づいて、予め設定された複数のエリアごとにエリア健康リスクを算出する（ステップＳ５１，Ｓ５２）。【選択図】図２１
2019185408.tif 000002
【特許請求の範囲】
【請求項１】
管理対象者により使用される管理対象者端末と通信ネットワークを介してデータ通信可能に接続された健康情報管理サーバーであって、
前記管理対象者端末から管理対象者の健康に関する健康情報を取得する健康情報取得手段と、
前記健康情報を当該健康情報に係る管理対象者と対応付けて記憶手段に記憶させる記憶制御手段と、
前記管理対象者のそれぞれについて、当該管理対象者に対応する健康情報を解析して、当該管理対象者の個人健康リスクを算出する個人健康リスク算出手段と、
前記管理対象者のそれぞれについて算出された個人健康リスク及び前記管理対象者のそれぞれの居住位置に基づいて、予め設定された複数のエリアごとにエリア健康リスクを算出するエリア健康リスク算出手段と、
を備える健康情報管理サーバー。
【請求項２】
当該健康情報管理サーバーにおけるデータを管理するための管理端末と通信ネットワークを介してデータ通信可能に接続され、
前記エリアごとに算出されたエリア健康リスクを前記管理端末から閲覧可能に公開する公開手段を備える請求項１に記載の健康情報管理サーバー。
【請求項３】
前記公開手段は、前記エリアごとに算出されたエリア健康リスクの程度を、前記複数のエリアを含む地図上の該当するエリアに重ね合わせて、前記管理端末に表示させる請求項２に記載の健康情報管理サーバー。
【請求項４】
前記公開手段は、前記エリアごとに算出されたエリア健康リスクの程度を、リスト形式で、前記管理端末に表示させる請求項２に記載の健康情報管理サーバー。
【請求項５】
前記個人健康リスク算出手段は、各管理対象者の個人健康リスクを複数の種類ごとに算出し、
前記エリア健康リスク算出手段は、各エリアのエリア健康リスクを前記複数の種類ごとに算出し、
前記複数の種類のエリア健康リスクのそれぞれに対して、予め健康イベントのジャンルが対応付けられており、
前記複数のエリアのうち選択されたエリアの前記複数の種類ごとのエリア健康リスクが所定の程度以上であるか否かを判断し、当該所定の程度以上の種類のエリア健康リスクに対応付けられた健康イベントのジャンルを抽出する抽出手段を備える請求項１から４のいずれか一項に記載の健康情報管理サーバー。
【請求項６】
前記健康情報は、活動記録、バイタルデータ、食事記録又は服薬情報を含む請求項１から５のいずれか一項に記載の健康情報管理サーバー。
【請求項７】
医療機関において使用される医療機関端末と通信ネットワークを介してデータ通信可能に接続され、
前記医療機関端末から管理対象者の医療情報を取得する医療情報取得手段を備え、
前記記憶制御手段は、前記医療情報を当該医療情報に係る管理対象者と対応付けて前記記憶手段に記憶させ、
前記個人健康リスク算出手段は、前記管理対象者のそれぞれについて、当該管理対象者に対応する健康情報及び医療情報を解析して、当該管理対象者の個人健康リスクを算出する請求項１から６のいずれか一項に記載の健康情報管理サーバー。
【請求項８】
前記医療情報は、診療情報、傷病情報、処方情報又は検査結果を含む請求項７に記載の健康情報管理サーバー。
【請求項９】
管理対象者により使用される管理対象者端末と健康情報管理サーバーとが通信ネットワークを介してデータ通信可能に接続された健康情報管理システムであって、
前記健康情報管理サーバーは、
前記管理対象者端末から管理対象者の健康に関する健康情報を取得する健康情報取得手段と、
前記健康情報を当該健康情報に係る管理対象者と対応付けて記憶手段に記憶させる記憶制御手段と、
前記管理対象者のそれぞれについて、当該管理対象者に対応する健康情報を解析して、当該管理対象者の個人健康リスクを算出する個人健康リスク算出手段と、
前記管理対象者のそれぞれについて算出された個人健康リスク及び前記管理対象者のそれぞれの居住位置に基づいて、予め設定された複数のエリアごとにエリア健康リスクを算出するエリア健康リスク算出手段と、
を備える健康情報管理システム。
【発明の詳細な説明】
【技術分野】
【０００１】
本発明は、健康情報管理サーバー及び健康情報管理システムに関する。
【背景技術】
【０００２】
近年、ＩＣＴ（Information and Communication Technology）の普及に伴い、各自治体単位で、健康の維持・促進を支援する健康管理の仕組みが導入されつつある。各自治体においては、住民の健康や病気に関するデータを収集し解析することで、その地域の疾病等の傾向を分析し、必要に応じて保健指導を行ったり、健康イベントを開催したりしている。このように、病気になる人が少ない社会作りを目指すことが、医療費の削減にもつながる。
【０００３】
健康維持に役立つ情報を出力する健康管理システムとして、例えば、個人の日々の健康に関するデータや、既往症データ、遺伝性疾患データ等から食事指導等、個人に必要な生活改善のためのアドバイスを通知する技術が提案されている（特許文献１参照）。
また、病気診療や健康予防の面から把握された健康状態に応じて、食事療法、スポーツレクリエーション等、最適な健康デザインのアドバイスを行うシステムが提案されている（特許文献２参照）。
【先行技術文献】
【特許文献】
【０００４】
【特許文献１】特開２００２−１４９８３０号公報
【特許文献２】特開２００７−０７２７３２号公報
【発明の概要】
【発明が解決しようとする課題】
【０００５】
しかしながら、従来、各住民から健康に関する健康情報を収集し、解析対象地域全体における疾病傾向を分析することは行われてきたが、解析対象地域より狭い領域における地域性が考慮されることはなかった。
【０００６】
本発明は、上記の従来技術における問題に鑑みてなされたものであって、健康に関する健康情報について、解析対象地域全体より狭い領域ごとの解析結果を提供することを課題とする。
【課題を解決するための手段】
【０００７】
上記課題を解決するために、請求項１に記載の発明は、管理対象者により使用される管理対象者端末と通信ネットワークを介してデータ通信可能に接続された健康情報管理サーバーであって、前記管理対象者端末から管理対象者の健康に関する健康情報を取得する健康情報取得手段と、前記健康情報を当該健康情報に係る管理対象者と対応付けて記憶手段に記憶させる記憶制御手段と、前記管理対象者のそれぞれについて、当該管理対象者に対応する健康情報を解析して、当該管理対象者の個人健康リスクを算出する個人健康リスク算出手段と、前記管理対象者のそれぞれについて算出された個人健康リスク及び前記管理対象者のそれぞれの居住位置に基づいて、予め設定された複数のエリアごとにエリア健康リスクを算出するエリア健康リスク算出手段と、を備える。
【０００８】
請求項２に記載の発明は、請求項１に記載の健康情報管理サーバーにおいて、当該健康情報管理サーバーにおけるデータを管理するための管理端末と通信ネットワークを介してデータ通信可能に接続され、前記エリアごとに算出されたエリア健康リスクを前記管理端末から閲覧可能に公開する公開手段を備える。
【０００９】
請求項３に記載の発明は、請求項２に記載の健康情報管理サーバーにおいて、前記公開手段は、前記エリアごとに算出されたエリア健康リスクの程度を、前記複数のエリアを含む地図上の該当するエリアに重ね合わせて、前記管理端末に表示させる。
【００１０】
請求項４に記載の発明は、請求項２に記載の健康情報管理サーバーにおいて、前記公開手段は、前記エリアごとに算出されたエリア健康リスクの程度を、リスト形式で、前記管理端末に表示させる。
【００１１】
請求項５に記載の発明は、請求項１から４のいずれか一項に記載の健康情報管理サーバーにおいて、前記個人健康リスク算出手段は、各管理対象者の個人健康リスクを複数の種類ごとに算出し、前記エリア健康リスク算出手段は、各エリアのエリア健康リスクを前記複数の種類ごとに算出し、前記複数の種類のエリア健康リスクのそれぞれに対して、予め健康イベントのジャンルが対応付けられており、前記複数のエリアのうち選択されたエリアの前記複数の種類ごとのエリア健康リスクが所定の程度以上であるか否かを判断し、当該所定の程度以上の種類のエリア健康リスクに対応付けられた健康イベントのジャンルを抽出する抽出手段を備える。
【００１２】
請求項６に記載の発明は、請求項１から５のいずれか一項に記載の健康情報管理サーバーにおいて、前記健康情報は、活動記録、バイタルデータ、食事記録又は服薬情報を含む。
【００１３】
請求項７に記載の発明は、請求項１から６のいずれか一項に記載の健康情報管理サーバーにおいて、医療機関において使用される医療機関端末と通信ネットワークを介してデータ通信可能に接続され、前記医療機関端末から管理対象者の医療情報を取得する医療情報取得手段を備え、前記記憶制御手段は、前記医療情報を当該医療情報に係る管理対象者と対応付けて前記記憶手段に記憶させ、前記個人健康リスク算出手段は、前記管理対象者のそれぞれについて、当該管理対象者に対応する健康情報及び医療情報を解析して、当該管理対象者の個人健康リスクを算出する。
【００１４】
請求項８に記載の発明は、請求項７に記載の健康情報管理サーバーにおいて、前記医療情報は、診療情報、傷病情報、処方情報又は検査結果を含む。
【００１５】
請求項９に記載の発明は、管理対象者により使用される管理対象者端末と健康情報管理サーバーとが通信ネットワークを介してデータ通信可能に接続された健康情報管理システムであって、前記健康情報管理サーバーは、前記管理対象者端末から管理対象者の健康に関する健康情報を取得する健康情報取得手段と、前記健康情報を当該健康情報に係る管理対象者と対応付けて記憶手段に記憶させる記憶制御手段と、前記管理対象者のそれぞれについて、当該管理対象者に対応する健康情報を解析して、当該管理対象者の個人健康リスクを算出する個人健康リスク算出手段と、前記管理対象者のそれぞれについて算出された個人健康リスク及び前記管理対象者のそれぞれの居住位置に基づいて、予め設定された複数のエリアごとにエリア健康リスクを算出するエリア健康リスク算出手段と、を備える。
【発明の効果】
【００１６】
本発明によれば、健康に関する健康情報について、解析対象地域全体より狭い領域ごとの解析結果を提供することができる。
【図面の簡単な説明】
【００１７】
【図１】本発明の実施の形態における健康情報管理システムのシステム構成図である。
【図２】自治体サーバーの機能的構成を示すブロック図である。
【図３】（ａ）は、利用者ＤＢのデータ構成例である。（ｂ）は、各利用者の利用者情報に含まれる項目の例である。
【図４】（ａ）は、施設位置ＤＢのデータ構成例である。（ｂ）は、各施設の施設情報に含まれる項目の例である。
【図５】自治体領域情報ＤＢのデータ構成例である。
【図６】（ａ）は、分割エリア情報ＤＢのデータ構成例である。（ｂ）は、各エリアのエリア情報に含まれる項目の例である。
【図７】閾値ＤＢのデータ構成例である。
【図８】（ａ）は、イベントＤＢのデータ構成例である。（ｂ）は、各イベントのイベント情報に含まれる項目の例である。
【図９】自治体サーバーのファイル格納部におけるフォルダー構成を示す図である。
【図１０】健康情報・医療情報ファイルのデータ構成例である。
【図１１】住民端末、医療機関端末、自治体端末の機能的構成を示すブロック図である。
【図１２】自治体サーバーにより実行される健康情報登録処理を示すフローチャートである。
【図１３】住民端末に表示されるホーム画面の例である。
【図１４】住民端末に表示される健康情報入力画面の例である。
【図１５】自治体サーバーにより実行される医療情報登録処理を示すフローチャートである。
【図１６】医療機関端末に表示される医療機関共通のホーム画面の例である。
【図１７】医療機関端末に表示されるファイル選択画面の例である。
【図１８】自治体サーバーにより実行されるエリア情報設定処理を示すフローチャートである。
【図１９】自治体サーバーにより実行されるエリア情報設定処理を示すフローチャートである。
【図２０】自治体端末に表示されるエリア設定画面の例である。
【図２１】自治体サーバーにより実行される健康リスク算出処理を示すフローチャートである。
【図２２】住民端末に表示される生活習慣病チェック入力画面の例である。
【図２３】健康情報・医療情報の各項目に対して定められたポイントの例を示す図である。
【図２４】健康リスク累計処理を示すフローチャートである。
【図２５】健康リスク累計処理を示すフローチャートである。
【図２６】自治体サーバーにより実行される健康イベント設定処理を示すフローチャートである。
【図２７】（ａ）は、自治体端末に表示される地図形式のイベント設定画面の例である。（ｂ）は、一つのエリアの拡大模式図である。
【図２８】自治体端末に表示されるリスト形式のイベント設定画面の例である。
【図２９】イベント抽出処理を示すフローチャートである。
【図３０】自治体端末に表示されるイベント詳細設定画面の例である。
【発明を実施するための形態】
【００１８】
以下、図面を参照して、本発明に係る健康情報管理システムの一実施形態について説明する。ただし、発明の範囲は、図示例に限定されない。
【００１９】
〔健康情報管理システムの構成〕
図１に、本実施の形態における健康情報管理システム１００のシステム構成を示す。
図１に示すように、健康情報管理システム１００は、健康情報管理サーバーとしての自治体サーバー１０と、各住民が使用する管理対象者端末としての住民端末２０と、各医療機関に所属する医療従事者が使用する医療機関端末３０と、自治体に所属する職員が使用する管理端末としての自治体端末４０と、地図情報提供装置５０と、を備えて構成されている。自治体サーバー１０、住民端末２０、医療機関端末３０、自治体端末４０、地図情報提供装置５０は、通信ネットワークＮを介してデータ通信可能に接続されている。なお、住民端末２０、医療機関端末３０、自治体端末４０の台数は、特に限定されない。
【００２０】
自治体サーバー１０は、住民端末２０から登録される健康情報、医療機関端末３０から登録される医療情報を蓄積し管理する。自治体サーバー１０は、クラウド環境に設けられたクラウドサーバーであってもよい。
【００２１】
住民端末２０は、管理対象者としての各住民により使用されるＰＣ（Personal Computer）、タブレット端末、スマートフォン等のコンピューター装置である。住民端末２０は、各住民が住民自身の健康に関する健康情報を自治体サーバー１０に登録する際等に用いられる。
【００２２】
医療機関端末３０は、各医療機関において、各医療機関に所属する医療従事者により使用されるＰＣ等のコンピューター装置である。医療機関端末３０は、医療従事者が各住民の医療情報を自治体サーバー１０に登録する際等に用いられる。
【００２３】
自治体端末４０は、自治体に所属する職員により使用されるＰＣ等のコンピューター装置である。自治体端末４０は、自治体サーバー１０におけるデータを管理するための端末であり、自治体職員が自治体サーバー１０で管理されている健康情報や医療情報、エリアごとのエリア健康リスクを閲覧する際等に用いられる。
【００２４】
地図情報提供装置５０は、指定された住所に対応する経度・緯度、指定された市町村に対応する地図情報を提供するサービスを行う。
【００２５】
〔自治体サーバーの構成〕
図２に、自治体サーバー１０の機能的構成を示す。
図２に示すように、自治体サーバー１０は、制御部１１、通信部１２、ＲＡＭ１３、計時部１４、記憶部１５等を備えて構成されており、各部はバス１６により接続されている。
【００２６】
制御部１１は、ＣＰＵ（Central Processing Unit）等から構成され、自治体サーバー１０の各部の処理動作を統括的に制御する。具体的には、ＣＰＵは、記憶部１５に記憶されている各種処理プログラムを読み出してＲＡＭ１３に展開し、当該プログラムとの協働により各種処理を行う。
【００２７】
通信部１２は、ネットワークインターフェース等により構成され、ＬＡＮ（Local Area Network）、ＷＡＮ（Wide Area Network）、インターネット等の通信ネットワークＮを介して接続された外部機器との間でデータの送受信を行う。
【００２８】
ＲＡＭ１３は、制御部１１により実行制御される各種処理において、記憶部１５から読み出された各種プログラム、入力若しくは出力データ及びパラメーター等を一時的に記憶するワークエリアを形成する。
【００２９】
計時部１４は、計時回路（ＲＴＣ：Real Time Clock）を有し、この計時回路により現在日時を計時して制御部１１に出力する。
【００３０】
記憶部１５は、ＨＤＤ（Hard Disk Drive）や不揮発性の半導体メモリー等により構成され、各種処理プログラム、当該プログラムの実行に必要なパラメーターやファイル等を記憶している。例えば、記憶部１５には、外部機器に搭載されたＷｅｂブラウザーとＨＴＴＰプロトコルによる通信を行ってＷｅｂブラウザーに各種Ｗｅｂ画面を提供するＷｅｂサーバーとしての機能を実現させるためのＷｅｂサーバープログラムや、Ｗｅｂサーバー上で動作し、Ｗｅｂブラウザーを介して外部機器の操作者に健康情報管理サービスを提供するためのアプリケーションプログラム等が記憶されている。
【００３１】
記憶部１５には、利用者ＤＢ（DataBase）１５１、施設位置ＤＢ１５２、自治体領域情報ＤＢ１５３、分割エリア情報ＤＢ１５４、閾値ＤＢ１５５、イベントＤＢ１５６が記憶されている。また、記憶部１５は、ファイル格納部１５７を有する。ファイル格納部１５７には、健康情報・医療情報ファイルが格納される。
【００３２】
図３（ａ）に、利用者ＤＢ１５１のデータ構成例を示す。
利用者ＤＢ１５１には、利用者ＩＤの最終値、各利用者の利用者情報が格納される。
利用者ＩＤは、各利用者に対してシステムが自動で付番するユニークなＩＤである。
利用者ＩＤの最終値は、利用者ＩＤとして付番された値の最終値である。次回の利用者登録時には、この最終値に１を加算した値が利用者ＩＤとして発行される。
利用者情報は、各利用者（住民、医療機関、自治体）に関する情報である。自治体用の利用者情報は、健康情報管理システム１００の構築時に登録される。住民用の利用者情報、医療機関用の利用者情報は、自治体サーバー１０が提供するＷｅｂ画面又は申請書により登録される。
【００３３】
図３（ｂ）に、各利用者の利用者情報に含まれる項目の例を示す。また、図３（ｂ）では、利用者が住民、医療機関、自治体である場合に、登録される項目をチェックマークで示している。なお、医療機関、自治体に対しては、操作者個人にではなく、医療機関、自治体という団体に対して利用が認められる。
【００３４】
利用者情報には、利用者ＩＤ、登録日時、利用者種別（０：自治体、１：医療機関、２：住民）、メールアドレス、パスワード、医療機関ＩＤ、施設名称、利用者名（医療機関においては施設長名）、性別（０：男性、１：女性）、生年月日、住所（医療機関においては施設の住所、自治体においては自治体施設の住所）、経度、緯度、電話番号、同居区分（０：有、１：無）、結婚区分（０：既婚、１：離別・死別、２：未婚）、個人生活健康リスク、個人食事健康リスク、個人運動健康リスク、個人記録健康リスク等が含まれる。
【００３５】
登録日時は、利用者情報が登録された日時である。
利用者種別は、利用者の種別を示す情報である。
メールアドレスは、利用者への通知先となる電子メールのアドレスであり、ログインＩＤとしても使用される。
パスワードは、利用者が健康情報管理システム１００を利用する際の利用者認証に用いられる。
医療機関ＩＤは、医療機関の識別情報である。
施設名称は、医療機関（施設）の名称である。
経度は、利用者の住所に対応する経度である。
緯度は、利用者の住所に対応する緯度である。
同居区分は、同居人の有無を示す情報である。
結婚区分は、結婚状態を示す情報である。
【００３６】
個人生活健康リスクは、生活習慣病チェック結果（生活関連）から得られた注意項目数である。
個人食事健康リスクは、生活習慣病チェック結果（食事関連）から得られた注意項目数である。
個人運動健康リスクは、生活習慣病チェック結果（運動関連）から得られた注意項目数である。
個人記録健康リスクは、健康情報・医療情報ファイルの解析から得られたポイント数である。
【００３７】
図４（ａ）に、施設位置ＤＢ１５２のデータ構成例を示す。
施設位置ＤＢ１５２には、施設登録数、各施設の施設情報が格納される。
施設登録数は、施設位置ＤＢ１５２に登録されている施設の数である。施設位置ＤＢ１５２に新たに施設が登録されると、施設登録数が１増える。
施設情報は、健康イベントが開催され得る施設に関する情報である。
【００３８】
図４（ｂ）に、各施設の施設情報に含まれる項目の例を示す。
施設情報には、施設名称、施設種別（０：保健所、１：市民センター、２：運動施設、３：提携医療機関）、住所、経度、緯度、電話番号等が含まれる。
施設名称は、施設の名称である。
施設種別は、施設の種別を示す情報である。
住所は、施設の住所である。
経度は、施設の住所に対応する経度である。
緯度は、施設の住所に対応する緯度である。
電話番号は、施設の電話番号である。
【００３９】
図５に、自治体領域情報ＤＢ１５３のデータ構成例を示す。
自治体領域情報ＤＢ１５３には、起点経度、起点緯度、終点経度、終点緯度、Ｘ方向ステップ距離、Ｙ方向ステップ距離が格納される。
【００４０】
起点経度は、自治体領域（自治体に対応する市町村等の領域）を含む最小の矩形領域（矩形の各辺は東西方向・南北方向と略平行とする。）の起点（最小経度・最小緯度）の経度である。
起点緯度は、自治体領域を含む最小の矩形領域の起点の緯度である。
終点経度は、自治体領域を含む最小の矩形領域の終点（最大経度・最大緯度）の経度である。
終点緯度は、自治体領域を含む最小の矩形領域の終点の緯度である。
以下、「自治体領域を含む最小の矩形領域」を「自治体領域」と表現する。
【００４１】
Ｘ方向ステップ距離は、自治体領域を複数のエリアに分割する際のＸ方向（東西方向）における１エリアの距離である。
Ｙ方向ステップ距離は、自治体領域を複数のエリアに分割する際のＹ方向（南北方向）における１エリアの距離である。
【００４２】
図６（ａ）に、分割エリア情報ＤＢ１５４のデータ構成例を示す。
分割エリア情報ＤＢ１５４には、エリア数、各エリアのエリア情報が格納される。
エリア数は、自治体領域内のエリアの数である。
エリア情報は、自治体領域を複数のエリア（矩形領域）に分割した各エリアに関する情報である。
【００４３】
図６（ｂ）に、各エリアのエリア情報に含まれる項目の例を示す。
エリア情報には、エリア起点経度、エリア起点緯度、エリア終点経度、エリア終点緯度、生活健康リスク累計小、生活健康リスク累計中、生活健康リスク累計大、食事健康リスク累計小、食事健康リスク累計中、食事健康リスク累計大、運動健康リスク累計小、運動健康リスク累計中、運動健康リスク累計大、記録健康リスク累計小、記録健康リスク累計中、記録健康リスク累計大、エリア生活健康リスク、エリア食事健康リスク、エリア運動健康リスク、エリア記録健康リスク、エリア総合健康リスクが含まれる。
【００４４】
エリア起点経度は、エリアの起点（最小経度・最小緯度）の経度である。
エリア起点緯度は、エリアの起点の緯度である。
エリア終点経度は、エリアの終点（最大経度・最大緯度）の経度である。
エリア終点緯度は、エリアの終点の緯度である。
【００４５】
生活健康リスク累計小は、エリアに居住する住民のうち、個人生活健康リスクが「小」の住民の累計人数である。
生活健康リスク累計中は、エリアに居住する住民のうち、個人生活健康リスクが「中」の住民の累計人数である。
生活健康リスク累計大は、エリアに居住する住民のうち、個人生活健康リスクが「大」の住民の累計人数である。
食事健康リスク累計小は、エリアに居住する住民のうち、個人食事健康リスクが「小」の住民の累計人数である。
食事健康リスク累計中は、エリアに居住する住民のうち、個人食事健康リスクが「中」の住民の累計人数である。
食事健康リスク累計大は、エリアに居住する住民のうち、個人食事健康リスクが「大」の住民の累計人数である。
運動健康リスク累計小は、エリアに居住する住民のうち、個人運動健康リスクが「小」の住民の累計人数である。
運動健康リスク累計中は、エリアに居住する住民のうち、個人運動健康リスクが「中」の住民の累計人数である。
運動健康リスク累計大は、エリアに居住する住民のうち、個人運動健康リスクが「大」の住民の累計人数である。
記録健康リスク累計小は、エリアに居住する住民のうち、個人記録健康リスクが「小」の住民の累計人数である。
記録健康リスク累計中は、エリアに居住する住民のうち、個人記録健康リスクが「中」の住民の累計人数である。
記録健康リスク累計大は、エリアに居住する住民のうち、個人記録健康リスクが「大」の住民の累計人数である。
【００４６】
エリア生活健康リスクは、エリアに対して求められた生活関連の健康リスクである。
エリア食事健康リスクは、エリアに対して求められた食事関連の健康リスクである。
エリア運動健康リスクは、エリアに対して求められた運動関連の健康リスクである。
エリア記録健康リスクは、エリアに対して求められた健康情報・医療情報ファイル関連の健康リスクである。
エリア総合健康リスクは、エリアに対して求められた総合的な健康リスクである。
【００４７】
図７に、閾値ＤＢ１５５のデータ構成例を示す。
閾値ＤＢ１５５には、健康リスク算出間隔、個人生活健康リスクの閾値Ａ１，Ａ２（Ａ２＞Ａ１）、個人食事健康リスクの閾値Ｂ１，Ｂ２（Ｂ２＞Ｂ１）、個人運動健康リスクの閾値Ｃ１，Ｃ２（Ｃ２＞Ｃ１）、個人記録健康リスクの閾値Ｄ１，Ｄ２（Ｄ２＞Ｄ１）、エリア生活健康リスクの係数Ｅ１，Ｅ２，Ｅ３、エリア生活健康リスクの閾値Ａ１１，Ａ１２（Ａ１２＞Ａ１１）、エリア食事健康リスクの係数Ｅ１１，Ｅ１２，Ｅ１３、エリア食事健康リスクの閾値Ｂ１１，Ｂ１２（Ｂ１２＞Ｂ１１）、エリア運動健康リスクの係数Ｅ２１，Ｅ２２，Ｅ２３、エリア運動健康リスクの閾値Ｃ１１，Ｃ１２（Ｃ１２＞Ｃ１１）、エリア記録健康リスクの係数Ｅ３１，Ｅ３２，Ｅ３３、エリア記録健康リスクの閾値Ｄ１１，Ｄ１２（Ｄ１２＞Ｄ１１）、エリア総合健康リスクの閾値Ｆ１，Ｆ２（Ｆ２＞Ｆ１）が格納されている。
【００４８】
健康リスク算出間隔は、健康リスク算出処理（図２１参照）を実施する間隔となる時間である。
個人生活健康リスクの閾値Ａ１は、個人生活健康リスク（生活関連の注意項目数）に対して、「健康リスク小」と「健康リスク中」との境界となる閾値である。
個人生活健康リスクの閾値Ａ２は、個人生活健康リスク（生活関連の注意項目数）に対して、「健康リスク中」と「健康リスク大」との境界となる閾値である。
例えば、個人生活健康リスクが閾値Ａ１未満の場合には「健康リスク小」、個人生活健康リスクが閾値Ａ１以上かつ閾値Ａ２未満の場合には「健康リスク中」、個人生活健康リスクが閾値Ａ２以上の場合には「健康リスク大」と判定される。
【００４９】
個人食事健康リスクの閾値Ｂ１は、個人食事健康リスク（食事関連の注意項目数）に対して、「健康リスク小」と「健康リスク中」との境界となる閾値である。
個人食事健康リスクの閾値Ｂ２は、個人食事健康リスク（食事関連の注意項目数）に対して、「健康リスク中」と「健康リスク大」との境界となる閾値である。
個人運動健康リスクの閾値Ｃ１は、個人運動健康リスク（運動関連の注意項目数）に対して、「健康リスク小」と「健康リスク中」との境界となる閾値である。
個人運動健康リスクの閾値Ｃ２は、個人運動健康リスク（運動関連の注意項目数）に対して、「健康リスク中」と「健康リスク大」との境界となる閾値である。
【００５０】
個人記録健康リスクの閾値Ｄ１は、個人記録健康リスク（健康情報・医療情報ファイルの解析から得られたポイント数）に対して、「健康リスク小」と「健康リスク中」との境界となる閾値である。
個人記録健康リスクの閾値Ｄ２は、個人記録健康リスク（健康情報・医療情報ファイルの解析から得られたポイント数）に対して、「健康リスク中」と「健康リスク大」との境界となる閾値である。
【００５１】
エリア生活健康リスクの係数Ｅ１は、生活健康リスク累計小に対する正規化係数である。
エリア生活健康リスクの係数Ｅ２は、生活健康リスク累計中に対する正規化係数である。
エリア生活健康リスクの係数Ｅ３は、生活健康リスク累計大に対する正規化係数である。
エリア生活健康リスクの閾値Ａ１１は、エリア生活健康リスクに対して、「健康リスク小」と「健康リスク中」との境界となる閾値である。
エリア生活健康リスクの閾値Ａ１２は、エリア生活健康リスクに対して、「健康リスク中」と「健康リスク大」との境界となる閾値である。
【００５２】
エリア食事健康リスクの係数Ｅ１１は、食事健康リスク累計小に対する正規化係数である。
エリア食事健康リスクの係数Ｅ１２は、食事健康リスク累計中に対する正規化係数である。
エリア食事健康リスクの係数Ｅ１３は、食事健康リスク累計大に対する正規化係数である。
エリア食事健康リスクの閾値Ｂ１１は、エリア食事健康リスクに対して、「健康リスク小」と「健康リスク中」との境界となる閾値である。
エリア食事健康リスクの閾値Ｂ１２は、エリア食事健康リスクに対して、「健康リスク中」と「健康リスク大」との境界となる閾値である。
【００５３】
エリア運動健康リスクの係数Ｅ２１は、運動健康リスク累計小に対する正規化係数である。
エリア運動健康リスクの係数Ｅ２２は、運動健康リスク累計中に対する正規化係数である。
エリア運動健康リスクの係数Ｅ２３は、運動健康リスク累計大に対する正規化係数である。
エリア運動健康リスクの閾値Ｃ１１は、エリア運動健康リスクに対して、「健康リスク小」と「健康リスク中」との境界となる閾値である。
エリア運動健康リスクの閾値Ｃ１２は、エリア運動健康リスクに対して、「健康リスク中」と「健康リスク大」との境界となる閾値である。
【００５４】
エリア記録健康リスクの係数Ｅ３１は、記録健康リスク累計小に対する正規化係数である。
エリア記録健康リスクの係数Ｅ３２は、記録健康リスク累計中に対する正規化係数である。
エリア記録健康リスクの係数Ｅ３３は、記録健康リスク累計大に対する正規化係数である。
エリア記録健康リスクの閾値Ｄ１１は、エリア記録健康リスクに対して、「健康リスク小」と「健康リスク中」との境界となる閾値である。
エリア記録健康リスクの閾値Ｄ１２は、エリア記録健康リスクに対して、「健康リスク中」と「健康リスク大」との境界となる閾値である。
【００５５】
エリア総合健康リスクの閾値Ｆ１は、エリア総合健康リスクに対して、「健康リスク小」と「健康リスク中」との境界となる閾値である。
エリア総合健康リスクの閾値Ｆ２は、エリア総合健康リスクに対して、「健康リスク中」と「健康リスク大」との境界となる閾値である。
【００５６】
図８（ａ）に、イベントＤＢ１５６のデータ構成例を示す。
イベントＤＢ１５６には、イベント数、各イベントのイベント情報が格納される。
イベント数は、イベントＤＢ１５６に登録されているイベントの数である。イベントＤＢ１５６に新たにイベントが登録されると、イベント数が１増える。
イベント情報は、健康イベントに関する情報である。健康イベントは、住民の健康状態の維持や改善を目的として企画されるイベントであり、例えば、生活指導、メンタル相談、食事指導、健康体操、ウォーキング、食生活改善指導等がある。健康イベントの形式としては、講師（医師、栄養士等）による講演会、各住民が個別に相談できる相談会、住民参加型のイベント等が挙げられる。
【００５７】
図８（ｂ）に、各イベントのイベント情報に含まれる項目の例を示す。
イベント情報には、開催エリア、健康イベント名、開催日時、開催場所等が含まれる。
開催エリアは、イベントが開催されるエリアを示す情報である。
健康イベント名は、イベントの名称である。
開催日時は、イベントが開催される日時である。
開催場所は、イベントが開催される場所（施設名称）である。
【００５８】
図９に、ファイル格納部１５７におけるフォルダー構成を示す。
健康情報・医療情報フォルダーの下位階層には、利用者ごとの利用者ＩＤと一致する名称のフォルダー（利用者ＩＤフォルダー）が作成される。
【００５９】
利用者ＩＤフォルダーには、記録項目設定ファイルが格納されるとともに、利用者ＩＤフォルダーの下位階層には、記録日時ごとの記録日時フォルダーが作成される。
記録項目設定ファイルには、各住民自身が設定した登録すべき項目を示す情報が含まれる。具体的には、記録項目設定ファイルにおいて、図１０に示す健康情報の各項目に対して、表示／非表示が設定されている。各住民が健康情報を登録する際の入力画面には、記録項目設定ファイルに従って、各住民が設定した項目のみが表示される。
記録日時フォルダーには、当該記録日時フォルダーに対応する記録日時に登録された、当該記録日時フォルダーの上位階層の利用者ＩＤフォルダーに対応する利用者（住民）の健康情報・医療情報ファイルが格納される。
【００６０】
図１０に、健康情報・医療情報ファイルのデータ構成例を示す。
健康情報・医療情報ファイルには、利用者ＩＤ、記録日時、健康情報、医療情報が含まれる。
利用者ＩＤは、住民（管理対象者）の利用者ＩＤである。
記録日時は、健康情報・医療情報ファイルが記録された日時である。
健康情報には、活動記録（歩数、距離、時間等）、バイタルデータ（体重、身長、体脂肪率、脂肪量、筋肉量、体水分量、推定骨量、最高血圧、最低血圧、脈拍数、血糖値等）、食事記録（食事情報等）、服薬情報（薬品情報等）等が含まれる。
医療情報には、診療情報、傷病情報、処方情報、検体検査結果、検診データ等が含まれる。
【００６１】
制御部１１は、住民端末２０、医療機関端末３０、自治体端末４０において、各利用者に対応するログインアカウント（メールアドレス・パスワード）から自治体サーバー１０にアクセスがあった場合に、記憶部１５の利用者ＤＢ１５１を参照して、予め登録されている利用者であるか否かを判断する。制御部１１は、住民端末２０、医療機関端末３０、自治体端末４０において入力されたメールアドレス及びパスワードの組み合わせが利用者ＤＢ１５１に登録されている場合には、この利用者が正当な利用者であると判断する。
【００６２】
制御部１１は、住民端末２０から住民（管理対象者）の健康に関する健康情報を取得する。すなわち、制御部１１は、健康情報取得手段として機能する。
制御部１１は、住民端末２０から取得した健康情報を当該健康情報に係る住民（管理対象者）と対応付けて記憶部１５に記憶させる。すなわち、制御部１１は、記憶制御手段として機能する。具体的には、制御部１１は、ファイル格納部１５７において、住民端末２０を操作する住民に対応する利用者ＩＤフォルダーの下位階層に、計時部１４から取得した現在日時と一致する名称のフォルダー（記録日時フォルダー）を作成し、この記録日時フォルダーに健康情報を健康情報・医療情報ファイルとして登録する。
【００６３】
制御部１１は、医療機関端末３０から住民（管理対象者）の医療情報を取得する。すなわち、制御部１１は、医療情報取得手段として機能する。
制御部１１は、医療機関端末３０から取得した医療情報を当該医療情報に係る住民（管理対象者）と対応付けて記憶部１５に記憶させる。具体的には、制御部１１は、ファイル格納部１５７において、医療情報に係る住民に対応する利用者ＩＤフォルダーの下位階層に、計時部１４から取得した現在日時と一致する名称のフォルダー（記録日時フォルダー）を作成し、この記録日時フォルダーに医療情報を健康情報・医療情報ファイルとして登録する。
【００６４】
制御部１１は、住民（管理対象者）のそれぞれについて、当該住民に対応する健康情報を解析して、当該住民の個人健康リスク（個人生活健康リスク、個人食事健康リスク、個人運動健康リスク、個人記録健康リスク）を算出する。すなわち、制御部１１は、個人健康リスク算出手段として機能する。具体的には、制御部１１は、各住民の個人健康リスクを複数の種類ごと（生活、食事、運動、記録）に算出する。
また、制御部１１は、住民（管理対象者）のそれぞれについて、当該住民に対応する健康情報及び医療情報を解析して、当該住民の個人健康リスクを算出する。
【００６５】
制御部１１は、住民（管理対象者）のそれぞれについて算出された個人健康リスク及び住民のそれぞれの居住位置（経度、緯度）に基づいて、予め設定された複数のエリアごとにエリア健康リスク（エリア生活健康リスク、エリア食事健康リスク、エリア運動健康リスク、エリア記録健康リスク、エリア総合健康リスク）を算出する。すなわち、制御部１１は、エリア健康リスク算出手段として機能する。具体的には、制御部１１は、各エリアのエリア健康リスクを複数の種類ごと（生活、食事、運動、記録）に算出する。
【００６６】
制御部１１は、エリアごとに算出されたエリア健康リスクを自治体端末４０から閲覧可能に公開する。すなわち、制御部１１は、公開手段として機能する。具体的には、制御部１１は、自治体端末４０から各エリアのエリア健康リスクに対する公開要求があった場合に、要求された各エリアのエリア健康リスクを自治体端末４０に提供する。
【００６７】
制御部１１は、エリアごとに算出されたエリア健康リスクの程度（度合い）を、複数のエリアを含む地図上の該当するエリアに重ね合わせて、自治体端末４０に表示させる。例えば、制御部１１は、エリアごとのエリア健康リスクを複数のランク（小・中・大等）に分類し、このランクを識別可能な態様で、自治体領域の地図上の該当するエリアに重ね合わせて、地図形式のイベント設定画面（図２７（ａ）参照）を表示するための表示用データを生成する。そして、制御部１１は、自治体端末４０に地図形式のイベント設定画面を表示させるべく、生成した表示用データを自治体端末４０に送信する。
【００６８】
制御部１１は、エリアごとに算出されたエリア健康リスクの程度（度合い）を、リスト形式で、自治体端末４０に表示させる。例えば、制御部１１は、エリアごとのエリア健康リスクを複数のランク（小・中・大等）に分類し、エリアごとのランクを記載したリスト形式のイベント設定画面（図２８参照）を表示するための表示用データを生成する。そして、制御部１１は、自治体端末４０にリスト形式のイベント設定画面を表示させるべく、生成した表示用データを自治体端末４０に送信する。
【００６９】
記憶部１５には、複数の種類のエリア健康リスク（エリア生活健康リスク、エリア食事健康リスク、エリア運動健康リスク、エリア記録健康リスク）のそれぞれに対して、予め健康イベントのジャンルが対応付けられて記憶されている。具体的には、「エリア生活健康リスク」には、「生活指導／メンタル相談」というジャンルが対応付けられている。また、「エリア食事健康リスク」には、「食事指導」というジャンルが対応付けられている。また、「エリア運動健康リスク」には、「健康体操／ウォーキング」というジャンルが対応付けられている。また、「エリア記録健康リスク」には、「食生活改善指導」というジャンルが対応付けられている。
【００７０】
制御部１１は、複数のエリアのうち選択されたエリアの複数の種類ごとのエリア健康リスクが所定の程度以上であるか否かを判断する。制御部１１は、所定の程度以上の種類のエリア健康リスクに対応付けられた健康イベントのジャンルを抽出する。すなわち、制御部１１は、抽出手段として機能する。
【００７１】
〔住民端末の構成〕
図１１に、住民端末２０の機能的構成を示す。
図１１に示すように、住民端末２０は、制御部２１、操作部２２、表示部２３、通信部２４、ＲＡＭ２５、記憶部２６等を備えて構成されており、各部はバス２７により接続されている。
【００７２】
制御部２１は、ＣＰＵ等から構成され、住民端末２０の各部の処理動作を統括的に制御する。具体的には、ＣＰＵは、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。
【００７３】
操作部２２は、カーソルキー、文字入力キー及び各種機能キー等を備えたキーボードと、マウス等のポインティングデバイスを備えて構成され、キーボードに対するキー操作やマウス操作により入力された操作信号を制御部２１に出力する。
住民端末２０がタブレット端末、スマートフォン等である場合には、操作部２２は、電源をオン／オフさせる電源キー等の操作キー、表示部２３に積層されたタッチパネルにより構成され、各操作キーに対応する操作信号、操作者の指等によるタッチ操作の位置に応じた操作信号を制御部２１に出力する。
【００７４】
表示部２３は、ＬＣＤ（Liquid Crystal Display）等のモニターを備えて構成されており、制御部２１から入力される表示信号の指示に従って、各種画面を表示する。例えば、表示部２３は、自治体サーバー１０から受信した各種Ｗｅｂ画面の表示用データに基づいて各種Ｗｅｂ画面を表示する。
【００７５】
通信部２４は、ネットワークインターフェース等により構成され、ＬＡＮ、ＷＡＮ、インターネット等の通信ネットワークＮを介して接続された外部機器との間でデータの送受信を行う。また、通信部２４は、携帯電話回線等を用いて無線通信を行い、通信ネットワークＮを介して接続された自治体サーバー１０等の外部機器との間でデータの送受信を行う。
【００７６】
ＲＡＭ２５は、制御部２１により実行制御される各種処理において、記憶部２６から読み出された各種プログラム、入力若しくは出力データ及びパラメーター等を一時的に記憶するワークエリアを形成する。
【００７７】
記憶部２６は、ＨＤＤや不揮発性の半導体メモリー等により構成され、各種処理プログラム、当該プログラムの実行に必要なパラメーターやファイル等を記憶している。例えば、記憶部２６には、Ｗｅｂブラウザーを実現するためのＷｅｂブラウザープログラム等が記憶されている。
【００７８】
〔医療機関端末の構成〕
図１１に、医療機関端末３０の機能的構成を示す。
図１１に示すように、医療機関端末３０は、制御部３１、操作部３２、表示部３３、通信部３４、ＲＡＭ３５、記憶部３６等を備えて構成されており、各部はバス３７により接続されている。医療機関端末３０の各部は、住民端末２０の各部と同様であるため、説明を省略する。
【００７９】
〔自治体端末の構成〕
図１１に、自治体端末４０の機能的構成を示す。
図１１に示すように、自治体端末４０は、制御部４１、操作部４２、表示部４３、通信部４４、ＲＡＭ４５、記憶部４６等を備えて構成されており、各部はバス４７により接続されている。自治体端末４０の各部は、住民端末２０の各部と同様であるため、説明を省略する。
【００８０】
〔健康情報管理システムにおける動作〕
次に、健康情報管理システム１００における動作について説明する。
【００８１】
＜住民利用者登録処理＞
各住民が初めて健康情報管理システム１００を利用する際には、住民端末２０から住民の利用者登録を行う。住民端末２０は、自治体サーバー１０にアクセスし、操作部２２から入力された住民の利用者情報を自治体サーバー１０に送信する。
【００８２】
自治体サーバー１０では、制御部１１が、記憶部１５の利用者ＤＢ１５１の「利用者ＩＤの最終値」に１を加算した値を、新たに登録される利用者（住民）の利用者ＩＤとする。制御部１１は、この新たに付番された利用者ＩＤの利用者情報として、利用者種別に「２：住民」を設定し、登録日時に計時部１４から取得した現在日時を設定し、利用者ＤＢ１５１に登録する。そして、制御部１１は、新たに付番された利用者ＩＤの利用者情報として、住民端末２０において入力された利用者情報を利用者ＤＢ１５１に保存する。
【００８３】
ここで、制御部１１は、登録された住民の住所に基づいて、通信ネットワークＮを介して、地図情報提供装置５０から住民の住所に対応する経度及び緯度を取得する。制御部１１は、取得された経度及び緯度を、住民の利用者情報として利用者ＤＢ１５１に登録する。
また、制御部１１は、ファイル格納部１５７の健康情報・医療情報フォルダーの下位階層に、新たに登録された利用者の利用者ＩＤと一致する名称の利用者ＩＤフォルダーを作成する。
【００８４】
＜医療機関利用者登録処理＞
医療機関が初めて健康情報管理システム１００を利用する際には、医療機関から自治体に利用申請書を提出する。
自治体職員は、利用申請書に基づいて、自治体端末４０から医療機関の利用者登録を行う。自治体端末４０は、自治体サーバー１０にアクセスし、操作部４２から入力された医療機関の利用者情報を自治体サーバー１０に送信する。
【００８５】
自治体サーバー１０では、制御部１１が、記憶部１５の利用者ＤＢ１５１の「利用者ＩＤの最終値」に１を加算した値を、新たに登録される利用者（医療機関）の利用者ＩＤとする。制御部１１は、この新たに付番された利用者ＩＤの利用者情報として、利用者種別に「１：医療機関」を設定し、登録日時に計時部１４から取得した現在日時を設定し、利用者ＤＢ１５１に登録する。そして、制御部１１は、新たに付番された利用者ＩＤの利用者情報として、自治体端末４０において入力された医療機関の利用者情報を利用者ＤＢ１５１に保存する。
【００８６】
ここで、制御部１１は、登録された医療機関の住所に基づいて、通信ネットワークＮを介して、地図情報提供装置５０から医療機関の住所に対応する経度及び緯度を取得する。制御部１１は、取得された経度及び緯度を、医療機関の利用者情報として利用者ＤＢ１５１に登録する。
また、制御部１１は、新たに登録された利用者情報に含まれるメールアドレス宛てに登録用ＵＲＬを記載したメールを、通信部１２を介して送信する。
【００８７】
医療機関に所属する医療従事者は、医療機関端末３０において受信したメールに記載されているＵＲＬにアクセスし、自治体サーバー１０に追加の情報（パスワード等）を登録する。
自治体サーバー１０では、制御部１１が、医療機関端末３０において入力されたパスワード等の情報を利用者ＤＢ１５１に保存する。
【００８８】
＜健康情報登録処理＞
図１２は、自治体サーバー１０により実行される健康情報登録処理を示すフローチャートである。この処理は、住民端末２０から健康情報を取得して登録する処理であって、制御部１１と記憶部１５に記憶されているプログラムとの協働によるソフトウェア処理によって実現される。
【００８９】
まず、住民端末２０において、住民が操作部２２によりＷｅｂブラウザー上から自治体サーバー１０にアクセスするためのＵＲＬを入力すると、制御部２１は、入力されたＵＲＬに基づいて、通信部２４を介して自治体サーバー１０にアクセスを行う。
自治体サーバー１０では、制御部１１は、住民端末２０からのアクセスに応じて、ログイン処理を行う（ステップＳ１）。具体的には、制御部１１は、住民端末２０に対し、通信部１２を介してログイン画面を表示するための表示用データを送信する。なお、自治体サーバー１０のＷｅｂサーバー機能により住民端末２０に送信されるログイン画面をはじめとする各種Ｗｅｂ画面の表示用データには、ＨＴＭＬ、スタイルシート、画像データ、住民端末２０で所定の処理を実行させるためのスクリプト等が含まれる。
【００９０】
住民端末２０では、通信部２４によりログイン画面の表示用データが受信されると、制御部２１は、表示部２３にログイン画面を表示させる。ログイン画面には、メールアドレス及びパスワードの入力欄が含まれる。住民がログイン画面において、操作部２２からの操作により、メールアドレス及びパスワードを入力すると、制御部２１は、入力されたメールアドレス及びパスワードを通信部２４を介して自治体サーバー１０に送信する。
【００９１】
自治体サーバー１０では、通信部１２によりメールアドレス及びパスワードが受信されると、制御部１１は、利用者認証を行う。具体的には、制御部１１は、記憶部１５の利用者ＤＢ１５１から、住民端末２０において入力されたメールアドレスと一致するレコード（住民端末２０を操作する住民の利用者ＩＤに対応する利用者情報）を検索し、検索されたレコードに含まれるパスワードと住民端末２０において入力されたパスワードが一致する場合に、利用者認証が成功したと判断する。
【００９２】
次に、制御部１１は、利用者ＤＢ１５１から、住民端末２０を操作するログイン利用者の利用者ＩＤに対応する利用者種別（２：住民）を取得する（ステップＳ２）。
次に、制御部１１は、住民端末２０に対し、通信部１２を介してログイン利用者のホーム画面を表示するための表示用データを送信する（ステップＳ３）。
【００９３】
住民端末２０では、表示部２３にホーム画面が表示される。
図１３に、住民端末２０の表示部２３に表示されるホーム画面２３１の例を示す。ホーム画面２３１には、ホーム画面アイコン５１、健康情報の種別アイコンとしての活動記録アイコン５２、バイタルデータアイコン５３、食事記録アイコン５４、服薬情報アイコン５５が含まれる。住民は、操作部２２からの操作により、いずれかの種別アイコンを選択する。
【００９４】
自治体サーバー１０において、制御部１１は、住民端末２０において選択された健康情報の種別アイコンを示す情報を、通信部１２を介して取得すると（ステップＳ４）、住民端末２０に対し、通信部１２を介して選択されたアイコンに対応する健康情報入力画面を表示するための表示用データを送信する（ステップＳ５）。
【００９５】
住民端末２０では、表示部２３に選択されたアイコンに対応する健康情報入力画面が表示される。
図１４に、住民端末２０の表示部２３に表示される健康情報入力画面２３２の例を示す。健康情報入力画面２３２は、ホーム画面２３１において活動記録アイコン５２が選択された場合の画面例であり、歩数入力欄６１、距離入力欄６２、時間入力欄６３、記録ボタン６４を含む。住民は、操作部２２からの操作により、歩数等の健康情報を入力する。
【００９６】
自治体サーバー１０において、制御部１１は、住民端末２０において入力された健康情報を、通信部１２を介して取得する（ステップＳ６）。
次に、制御部１１は、住民端末２０から他のアイコンに対応する健康情報が登録されるか否かを判断する（ステップＳ７）。具体的には、制御部１１は、住民端末２０において、健康情報入力画面２３２の記録ボタン６４が押下されない場合に、他のアイコンに対応する健康情報が登録されると判断し、記録ボタン６４が押下された場合に、他のアイコンに対応する健康情報が登録されないと判断する。他のアイコンに対応する健康情報が登録される場合には（ステップＳ７；ＹＥＳ）、ステップＳ４に戻り、処理が繰り返される。
【００９７】
ステップＳ７において、他のアイコンに対応する健康情報が登録されない場合には（ステップＳ７；ＮＯ）、制御部１１は、記憶部１５のファイル格納部１５７において、健康情報・医療情報フォルダーの下位階層のログイン利用者の利用者ＩＤフォルダーの下位階層に、現在日時の記録日時フォルダーを作成する（ステップＳ８）。
次に、制御部１１は、登録された健康情報を健康情報・医療情報ファイルとして記録日時フォルダーに保存する（ステップＳ９）。
以上で、健康情報登録処理が終了する。
【００９８】
＜医療情報登録処理＞
図１５は、自治体サーバー１０により実行される医療情報登録処理を示すフローチャートである。この処理は、医療機関端末３０から医療情報を取得して登録する処理であって、制御部１１と記憶部１５に記憶されているプログラムとの協働によるソフトウェア処理によって実現される。
【００９９】
まず、自治体サーバー１０では、制御部１１は、医療機関端末３０からのアクセスに応じて、ログイン処理を行う（ステップＳ１１）。ログイン処理の詳細については、利用者と利用者が使用する端末が異なることを除いて、健康情報登録処理のステップＳ１と同様である。
【０１００】
次に、制御部１１は、記憶部１５の利用者ＤＢ１５１から、医療機関端末３０を操作するログイン利用者の利用者ＩＤに対応する利用者種別（１：医療機関）を取得する（ステップＳ１２）。
次に、制御部１１は、医療機関端末３０に対し、通信部１２を介して医療機関共通のホーム画面を表示するための表示用データを送信する（ステップＳ１３）。
【０１０１】
医療機関端末３０では、表示部３３に医療機関共通のホーム画面が表示される。
図１６に、医療機関端末３０の表示部３３に表示される医療機関共通のホーム画面３３１の例を示す。医療機関共通のホーム画面３３１には、医療情報の登録方法（ＳＳ−ＭＩＸ２、レセプトデータ、その他）を選択するためのボタン７１，７２，７３が含まれる。医療従事者は、操作部３２からの操作により、いずれかの登録方法に対応するボタンを選択する。
【０１０２】
ＳＳ−ＭＩＸ２は、厚生労働省電子的診療情報交換推進事業（Standardized Structured Medical Information eXchange）において策定された医療情報の交換・共有のための規約である。ＳＳ−ＭＩＸ２に対応するボタン７１が選択されると、医療機関の電子カルテシステムから出力される、ＳＳ−ＭＩＸ２に則った標準化形式のデータを自治体サーバー１０に送信することができる。ＳＳ−ＭＩＸ２に則ったデータには、患者基本情報（患者に関する情報）、投薬情報（処方情報）、注射情報（実施したか否かの情報は含まない。）、検体検査、画像検査等が含まれる。
レセプトデータは、医療機関の医事会計システムから出力される標準化形式のデータである。レセプトデータには、患者基本情報、投薬情報（処方情報）、注射情報、処置情報、手術・麻酔情報、検体検査（検査をしたことのみ。検査結果は含まない。）、画像検査（画像撮影をしたことのみ。画像データは含まない。）、リハビリテーション情報等が含まれる。
【０１０３】
自治体サーバー１０において、制御部１１は、医療機関端末３０において選択された医療情報の登録方法を示す情報を、通信部１２を介して取得すると（ステップＳ１４）、医療機関端末３０に対し、通信部１２を介してファイル選択画面を表示するための表示用データを送信する（ステップＳ１５）。
【０１０４】
医療機関端末３０では、表示部３３にファイル選択画面が表示される。
図１７に、医療機関端末３０の表示部３３に表示されるファイル選択画面３３２の例を示す。ファイル選択画面３３２には、ファイル選択領域７４、登録ボタン７５、キャンセルボタン７６等が含まれる。医療従事者が、操作部３２からの操作により、ファイル選択領域７４において登録するファイルを選択し、登録ボタン７５を押下すると、制御部３１は、選択されたファイルを通信部３４を介して自治体サーバー１０に送信する。なお、医療機関では、患者である住民に健康情報管理システム１００に利用者登録していることを申告させる。医療従事者は、ファイル選択画面３３２において、利用者登録済みの住民の医療情報のファイルを選択する。
【０１０５】
制御部１１は、医療機関端末３０において選択されたファイルを、通信部１２を介して取得する（ステップＳ１６）。
次に、制御部１１は、登録されるファイルの利用者情報（利用者名等）に基づいて、利用者ＤＢ１５１から該当する利用者ＩＤを取得する（ステップＳ１７）。具体的には、制御部１１は、選択されたファイル（標準化形式のデータ）に含まれる患者基本情報から利用者情報を取得し、利用者ＤＢ１５１から利用者情報に該当する利用者ＩＤを取得する。
【０１０６】
次に、制御部１１は、記憶部１５のファイル格納部１５７において、健康情報・医療情報フォルダーの下位階層の利用者ＩＤフォルダー（ステップＳ１７で取得された利用者ＩＤに対応するフォルダー）の下位階層に、現在日時の記録日時フォルダーを作成する（ステップＳ１８）。
次に、制御部１１は、登録された医療情報を健康情報・医療情報ファイルとして記録日時フォルダーに保存する（ステップＳ１９）。具体的には、制御部１１は、標準化形式のファイルで受け取った医療情報から各項目のデータを読み出し、図１０に示すフォーマットの健康情報・医療情報ファイルを生成し、記録日時フォルダーに保存する。
【０１０７】
次に、制御部１１は、医療機関端末３０から他の医療情報が登録されるか否かを判断する（ステップＳ２０）。具体的には、制御部１１は、医療機関端末３０において、医療情報の登録を終了する旨の操作が行われた場合に、他の医療情報が登録されないと判断する。他の医療情報が登録される場合には（ステップＳ２０；ＹＥＳ）、ステップＳ１４に戻り、処理が繰り返される。
ステップＳ２０において、他の医療情報が登録されない場合には（ステップＳ２０；ＮＯ）、医療情報登録処理が終了する。
【０１０８】
＜エリア情報設定処理＞
図１８及び図１９は、自治体サーバー１０により実行されるエリア情報設定処理を示すフローチャートである。この処理は、自治体領域を分割して各エリアを設定する処理であって、制御部１１と記憶部１５に記憶されているプログラムとの協働によるソフトウェア処理によって実現される。
【０１０９】
まず、自治体サーバー１０では、制御部１１は、自治体端末４０からのアクセスに応じて、ログイン処理を行う（ステップＳ２１）。ログイン処理の詳細については、利用者と利用者が使用する端末が異なることを除いて、健康情報登録処理のステップＳ１と同様である。
【０１１０】
次に、制御部１１は、記憶部１５の利用者ＤＢ１５１から、自治体端末４０を操作するログイン利用者の利用者ＩＤに対応する利用者種別（０：自治体）を取得する（ステップＳ２２）。
次に、制御部１１は、自治体端末４０に対し、通信部１２を介して自治体のホーム画面を表示するための表示用データを送信する（ステップＳ２３）。
自治体端末４０では、表示部４３に自治体のホーム画面が表示される。自治体のホーム画面には、エリア設定ボタンが含まれる。自治体職員は、操作部４２からの操作により、エリア設定ボタンを押下する。
【０１１１】
自治体サーバー１０において、制御部１１は、自治体端末４０においてエリア設定が選択されたこと（エリア設定ボタンの押下）を示す情報を、通信部１２を介して取得すると（ステップＳ２４）、利用者ＤＢ１５１から、自治体端末４０を操作するログイン利用者（自治体）の利用者ＩＤに対応する住所を取得し、自治体の住所から市町村を取得する（ステップＳ２５）。
【０１１２】
次に、制御部１１は、通信部１２を介して、地図情報提供装置５０から市町村の地図情報を取得する（ステップＳ２６）。具体的には、制御部１１は、自治体に対応する市町村の地図情報に対する取得要求を地図情報提供装置５０に送信し、地図情報提供装置５０から当該市町村の地図情報を取得する。
次に、制御部１１は、地図情報に基づいて、自治体に対応する市町村全体の地図を含むエリア設定画面を表示するための表示用データを生成し、自治体端末４０に対し、通信部１２を介してエリア設定画面を表示するための表示用データを送信する（ステップＳ２７）。
【０１１３】
自治体端末４０では、表示部４３にエリア設定画面が表示される。
図２０に、自治体端末４０の表示部４３に表示されるエリア設定画面４３１の例を示す。エリア設定画面４３１には、地図表示領域８１、住所表示領域８２、Ｘ方向ステップ距離入力領域８３、Ｙ方向ステップ距離入力領域８４、施設選択領域８５、設定ボタン８６、キャンセルボタン８７が含まれる。
地図表示領域８１には、自治体に対応する市町村全体の地図が表示される。具体的には、地図表示領域８１には、横方向を東西方向（Ｘ方向）、縦方向を南北方向（Ｙ方向）として、自治体領域の地図が表示される。
住所表示領域８２には、自治体の住所から特定された市町村が表示される。
Ｘ方向ステップ距離入力領域８３は、Ｘ方向ステップ距離を入力するための領域である。
Ｙ方向ステップ距離入力領域８４は、Ｙ方向ステップ距離を入力するための領域である。
施設選択領域８５には、地図表示領域８１の地図上に表示させる施設（健康イベントの開催場所候補）を選択するためのボタンが含まれる。施設選択領域８５において、自治体職員が表示させたい施設を選択すると、自治体サーバー１０の制御部１１は、選択された施設の経度及び緯度を記憶部１５の施設位置ＤＢ１５２から取得し、選択された施設の位置を地図表示領域８１の地図上に表示させる。
設定ボタン８６は、エリア設定画面４３１において入力された内容の設定を指示するためのボタンである。
キャンセルボタン８７は、エリア設定画面４３１における設定のキャンセルを指示するためのボタンである。
【０１１４】
自治体職員は、操作部４２からの操作により、Ｘ方向ステップ距離入力領域８３にＸ方向ステップ距離を入力し、Ｙ方向ステップ距離入力領域８４にＹ方向ステップ距離を入力する。
【０１１５】
自治体サーバー１０の制御部１１は、自治体端末４０において入力されたＸ方向ステップ距離及びＹ方向ステップ距離を、通信部１２を介して取得すると（ステップＳ２８）、Ｘ方向ステップ距離及びＹ方向ステップ距離の間隔で各エリアの境界を示すグリッド（格子状の線）を、自治体端末４０の地図表示領域８１の地図上に表示させる。具体的には、制御部１１は、地図表示領域８１の地図上に指定された間隔でグリッドが表示されるように、エリア設定画面４３１の表示用データを更新し、更新された表示用データを通信部１２を介して自治体端末４０に送信する。
【０１１６】
自治体職員が、操作部４２からの操作により、設定ボタン８６を押下すると、自治体サーバー１０の制御部１１は、Ｘ方向ステップ距離及びＹ方向ステップ距離を、記憶部１５の自治体領域情報ＤＢ１５３に保存する（ステップＳ２９）。
【０１１７】
次に、図１９に移り、制御部１１は、記憶部１５の自治体領域情報ＤＢ１５３から自治体領域の起点経度、起点緯度、終点経度及び終点緯度を取得し、ＸＳ、ＹＳ、ＸＥ、ＹＥを設定する（ステップＳ３０）。
ＸＳ＝自治体領域の起点経度
ＹＳ＝自治体領域の起点緯度
ＸＥ＝自治体領域の終点経度
ＹＥ＝自治体領域の終点緯度
また、制御部１１は、Ｘ方向ステップ距離を経度差に変換した値をＸとし、Ｙ方向ステップ距離を緯度差に変換した値をＹとする（ステップＳ３１）。
【０１１８】
ここで、制御部１１は、エリア番号ｋを１に設定する（ステップＳ３２）。
また、制御部１１は、ｉ＝０、ｊ＝０とする（ステップＳ３３）。
【０１１９】
次に、制御部１１は、エリアｋのエリア情報として、エリア起点経度、エリア起点緯度、エリア終点経度及びエリア終点緯度を設定し、記憶部１５の分割エリア情報ＤＢ１５４に保存する（ステップＳ３４）。
エリア起点経度＝ＸＳ＋Ｘ＊ｉ
エリア起点緯度＝ＹＳ＋Ｙ＊ｊ
エリア終点経度＝ＸＳ＋Ｘ＊（ｉ＋１）
エリア終点緯度＝ＹＳ＋Ｙ＊（ｊ＋１）
【０１２０】
次に、制御部１１は、エリア終点経度がＸＥより小さいか否かを判断する（ステップＳ３５）。すなわち、制御部１１は、Ｘ方向に別のエリアを設定できるか否かを判断する。
エリア終点経度がＸＥより小さい場合には（ステップＳ３５；ＹＥＳ）、ｉに１を加算し、ｋに１を加算する（ステップＳ３６）。その後、ステップＳ３４に戻り、処理を繰り返す。
【０１２１】
ステップＳ３５において、エリア終点経度がＸＥ以上である場合には（ステップＳ３５；ＮＯ）、制御部１１は、エリア終点緯度がＹＥより小さいか否かを判断する（ステップＳ３７）。すなわち、制御部１１は、Ｙ方向に別のエリアを設定できるか否かを判断する。
エリア終点緯度がＹＥより小さい場合には（ステップＳ３７；ＹＥＳ）、ｉを０とし、ｊに１を加算し、ｋに１を加算する（ステップＳ３８）。その後、ステップＳ３４に戻り、処理を繰り返す。
【０１２２】
ステップＳ３７において、エリア終点緯度がＹＥ以上である場合には（ステップＳ３７；ＮＯ）、エリア情報設定処理が終了する。
【０１２３】
＜健康リスク算出処理＞
図２１は、自治体サーバー１０により実行される健康リスク算出処理を示すフローチャートである。この処理は、記憶部１５の閾値ＤＢ１５５の健康リスク算出間隔の時間間隔で実行されるものであり、制御部１１と記憶部１５に記憶されているプログラムとの協働によるソフトウェア処理によって実現される。
【０１２４】
制御部１１は、計時部１４から取得される現在日時に基づいて、前回の健康リスク算出処理の実行日時から健康リスク算出間隔が経過した場合に、健康リスク算出処理を実行する。
【０１２５】
まず、制御部１１は、記憶部１５の利用者ＤＢ１５１に登録されている全住民に生活習慣病チェック実施要求をメール配信する（ステップＳ４１）。具体的には、制御部１１は、利用者ＤＢ１５１に登録されている利用者のうち、利用者種別が「２：住民」である利用者を抽出し、利用者ＤＢ１５１から抽出された利用者のメールアドレスを取得し、取得されたメールアドレス宛てに生活習慣病チェック実施要求のメールを、通信部１２を介して送信する。
【０１２６】
メールを受信した住民は、住民端末２０において、自治体サーバー１０にアクセスを行う。
自治体サーバー１０では、制御部１１は、住民端末２０からのアクセスに応じて、ログイン処理を行う（ステップＳ４２）。ログイン処理の詳細については、健康情報登録処理のステップＳ１と同様である。
【０１２７】
次に、制御部１１は、利用者ＤＢ１５１から、住民端末２０を操作するログイン利用者の利用者ＩＤに対応する利用者種別（２：住民）を取得する（ステップＳ４３）。
次に、制御部１１は、住民端末２０に対し、通信部１２を介してログイン利用者のホーム画面を表示するための表示用データを送信する（ステップＳ４４）。
【０１２８】
住民端末２０では、表示部２３にホーム画面が表示される。
図１３に示すように、生活習慣病チェック実施要求のメール配信後、最初のログイン時に表示されるホーム画面２３１には、生活習慣病チェックに対する回答ボタン５６が含まれる。住民は、操作部２２からの操作により、回答ボタン５６を押下する。
【０１２９】
自治体サーバー１０において、制御部１１は、住民端末２０において生活習慣病チェックが選択されたこと（回答ボタン５６の押下）を示す情報を、通信部１２を介して取得すると（ステップＳ４５）、住民端末２０に対し、通信部１２を介して生活習慣病チェック入力画面を表示するための表示用データを送信する（ステップＳ４６）。
【０１３０】
住民端末２０では、表示部２３に生活習慣病チェック入力画面が表示される。
図２２（ａ）〜（ｃ）に、住民端末２０の表示部２３に表示される生活習慣病チェック入力画面２３３Ａ，２３３Ｂ，２３３Ｃの例を示す。生活習慣病チェック入力画面２３３Ａ，２３３Ｂ，２３３Ｃには、各チェック項目に対してチェックボックスＧ１〜Ｇ２５が設けられている。表示部２３において、生活習慣病チェック入力画面２３３Ａ，２３３Ｂ，２３３Ｃは、スクロール操作又はページ送り操作により、切り替えられる。生活習慣病チェック入力画面２３３Ａには、生活関連のチェック項目（チェックボックスＧ１〜Ｇ１０）が含まれ、生活習慣病チェック入力画面２３３Ｂには、食事関連のチェック項目（チェックボックスＧ１１〜Ｇ２０）が含まれ、生活習慣病チェック入力画面２３３Ｃには、運動関連のチェック項目（チェックボックスＧ２１〜Ｇ２５）が含まれている。また、生活習慣病チェック入力画面２３３Ａ，２３３Ｂ，２３３Ｃには、保存ボタン９１、キャンセルボタン９２等が含まれる。住民は、操作部２２からの操作により、各チェック項目の該当箇所にチェックを行い、保存ボタン９１を押下する。
【０１３１】
自治体サーバー１０において、制御部１１は、住民端末２０において入力されたチェック結果を、通信部１２を介して取得し、カテゴリーごと（生活、食事、運動）の個人健康リスク（注意項目数）を算出する（ステップＳ４７）。
次に、制御部１１は、生活習慣病チェックにおけるカテゴリーごと（生活、食事、運動）の注意項目数を、利用者ＤＢ１５１のログイン利用者の個人生活健康リスク、個人食事健康リスク、個人運動健康リスクに格納する（ステップＳ４８）。なお、生活習慣病チェックにより入力される情報も、健康情報の一部である。カテゴリーごとの注意項目数だけでなく、どの項目がチェックされたかというチェック結果自体も保存されることとしてもよい。
【０１３２】
次に、制御部１１は、記憶部１５のファイル格納部１５７において、健康情報・医療情報フォルダーの下位階層のログイン利用者の利用者ＩＤフォルダーの下位階層に存在する、全ての記録日時フォルダー内の健康情報・医療情報ファイルを解析し、項目ごとのポイントを加算し、個人記録健康リスク（ポイント数）を算出する（ステップＳ４９）。
【０１３３】
図２３に、健康情報・医療情報の各項目に対して定められたポイントの例を示す。例えば、ＢＭＩ値については、２５未満の場合には１ポイント、２５以上３５未満の場合には２ポイント、３５以上の場合には３ポイントを加算する。
【０１３４】
次に、制御部１１は、健康情報・医療情報ファイルの解析から得られたポイント数を、利用者ＤＢ１５１のログイン利用者の個人記録健康リスクに格納する（ステップＳ５０）。
ステップＳ４２〜ステップＳ５０の処理は、住民ごとに行われる。
【０１３５】
次に、制御部１１は、健康リスク累計処理を実行する（ステップＳ５１）。健康リスク累計処理は、エリアごとに各住民の個人健康リスクを「小」「中」「大」に分類して、その人数を集計する処理である。
ここで、図２４及び図２５を参照して、健康リスク累計処理について説明する。
【０１３６】
まず、制御部１１は、ｉ＝１とする（ステップＳ６１）。
次に、制御部１１は、ｉが記憶部１５の利用者ＤＢ１５１の利用者ＩＤ最終値以下であるか否かを判断する（ステップＳ６２）。
ｉが利用者ＩＤ最終値以下である場合には（ステップＳ６２；ＹＥＳ）、制御部１１は、利用者ｉの利用者種別を取得する（ステップＳ６３）。
【０１３７】
ここで、制御部１１は、利用者ｉの利用者種別が２（住民）であるか否かを判断する（ステップＳ６４）。
利用者ｉの利用者種別が２（住民）でない場合には（ステップＳ６４；ＮＯ）、制御部１１は、ｉに１を加算し（ステップＳ６５）、ステップＳ６２に戻る。つまり、別の利用者を処理対象として、処理が繰り返される。
【０１３８】
ステップＳ６４において、利用者ｉの利用者種別が２（住民）である場合には（ステップＳ６４；ＹＥＳ）、制御部１１は、利用者ＤＢ１５１の利用者ｉの利用者情報から経度、緯度、個人生活健康リスク、個人食事健康リスク、個人運動健康リスク、個人記録健康リスクを取得し、Ｘｉ、Ｙｉ、Ｒ１、Ｒ２、Ｒ３、Ｒ４を設定する（ステップＳ６６）。
Ｘｉ＝経度
Ｙｉ＝緯度
Ｒ１＝個人生活健康リスク
Ｒ２＝個人食事健康リスク
Ｒ３＝個人運動健康リスク
Ｒ４＝個人記録健康リスク
【０１３９】
次に、制御部１１は、エリア番号ｋを１に設定する（ステップＳ６７）。
次に、制御部１１は、ｋが記憶部１５の分割エリア情報ＤＢ１５４のエリア数以下であるか否かを判断する（ステップＳ６８）。
ｋがエリア数より大きい場合には（ステップＳ６８；ＮＯ）、制御部１１は、ｉに１を加算し（ステップＳ６５）、ステップＳ６２に戻る。
【０１４０】
ステップＳ６８において、ｋがエリア数以下である場合には（ステップＳ６８；ＹＥＳ）、制御部１１は、分割エリア情報ＤＢ１５４のエリアｋのエリア情報からエリア起点経度、エリア起点緯度、エリア終点経度、エリア終点緯度を取得し、ＸＳｋ、ＹＳｋ、ＸＥｋ、ＹＥｋを設定する（ステップＳ６９）。
ＸＳｋ＝エリア起点経度
ＹＳｋ＝エリア起点緯度
ＸＥｋ＝エリア終点経度
ＹＥｋ＝エリア終点緯度
【０１４１】
次に、制御部１１は、ＸｉがＸＳｋ以上ＸＥｋ未満、かつ、ＹｉがＹＳｋ以上ＹＥｋ未満であるか否かを判断する（ステップＳ７０）。すなわち、制御部１１は、利用者ｉの住所（居住位置）がエリアｋに含まれるか否かを判断する。
ＸｉがＸＳｋ未満、ＸｉがＸＥｋ以上、ＹｉがＹＳｋ未満、又は、ＹｉがＹＥｋ以上である場合（ステップＳ７０；ＮＯ）、すなわち、利用者ｉの住所がエリアｋに含まれない場合には、制御部１１は、ｋに１を加算し（ステップＳ７１）、ステップＳ６８に戻る。つまり、別のエリアを処理対象として、処理が繰り返される。
【０１４２】
ステップＳ７０において、ＸｉがＸＳｋ以上ＸＥｋ未満、かつ、ＹｉがＹＳｋ以上ＹＥｋ未満である場合（ステップＳ７０；ＹＥＳ）、すなわち、利用者ｉの住所がエリアｋに含まれる場合には、図２５に移る。
【０１４３】
制御部１１は、記憶部１５の閾値ＤＢ１５５から個人生活健康リスクの閾値Ａ１，Ａ２を取得し、利用者ｉの個人生活健康リスクＲ１を閾値Ａ１，Ａ２と比較する（ステップＳ７２）。
利用者ｉの個人生活健康リスクＲ１が閾値Ａ１未満である場合には（ステップＳ７２；Ｒ１＜Ａ１）、制御部１１は、分割エリア情報ＤＢ１５４のエリアｋの生活健康リスク累計小に１を加算する（ステップＳ７３）。
ステップＳ７２において、利用者ｉの個人生活健康リスクＲ１が閾値Ａ１以上かつ閾値Ａ２未満である場合には（ステップＳ７２；Ａ１≦Ｒ１＜Ａ２）、制御部１１は、分割エリア情報ＤＢ１５４のエリアｋの生活健康リスク累計中に１を加算する（ステップＳ７４）。
ステップＳ７２において、利用者ｉの個人生活健康リスクＲ１が閾値Ａ２以上である場合には（ステップＳ７２；Ａ２≦Ｒ１）、制御部１１は、分割エリア情報ＤＢ１５４のエリアｋの生活健康リスク累計大に１を加算する（ステップＳ７５）。
【０１４４】
ステップＳ７３、ステップＳ７４又はステップＳ７５の後、制御部１１は、記憶部１５の閾値ＤＢ１５５から個人食事健康リスクの閾値Ｂ１，Ｂ２を取得し、利用者ｉの個人食事健康リスクＲ２を閾値Ｂ１，Ｂ２と比較する（ステップＳ７６）。
利用者ｉの個人食事健康リスクＲ２が閾値Ｂ１未満である場合には（ステップＳ７６；Ｒ２＜Ｂ１）、制御部１１は、分割エリア情報ＤＢ１５４のエリアｋの食事健康リスク累計小に１を加算する（ステップＳ７７）。
ステップＳ７６において、利用者ｉの個人食事健康リスクＲ２が閾値Ｂ１以上かつ閾値Ｂ２未満である場合には（ステップＳ７６；Ｂ１≦Ｒ２＜Ｂ２）、制御部１１は、分割エリア情報ＤＢ１５４のエリアｋの食事健康リスク累計中に１を加算する（ステップＳ７８）。
ステップＳ７６において、利用者ｉの個人食事健康リスクＲ２が閾値Ｂ２以上である場合には（ステップＳ７６；Ｂ２≦Ｒ２）、制御部１１は、分割エリア情報ＤＢ１５４のエリアｋの食事健康リスク累計大に１を加算する（ステップＳ７９）。
【０１４５】
ステップＳ７７、ステップＳ７８又はステップＳ７９の後、制御部１１は、記憶部１５の閾値ＤＢ１５５から個人運動健康リスクの閾値Ｃ１，Ｃ２を取得し、利用者ｉの個人運動健康リスクＲ３を閾値Ｃ１，Ｃ２と比較する（ステップＳ８０）。
利用者ｉの個人運動健康リスクＲ３が閾値Ｃ１未満である場合には（ステップＳ８０；Ｒ３＜Ｃ１）、制御部１１は、分割エリア情報ＤＢ１５４のエリアｋの運動健康リスク累計小に１を加算する（ステップＳ８１）。
ステップＳ８０において、利用者ｉの個人運動健康リスクＲ３が閾値Ｃ１以上かつ閾値Ｃ２未満である場合には（ステップＳ８０；Ｃ１≦Ｒ３＜Ｃ２）、制御部１１は、分割エリア情報ＤＢ１５４のエリアｋの運動健康リスク累計中に１を加算する（ステップＳ８２）。
ステップＳ８０において、利用者ｉの個人運動健康リスクＲ３が閾値Ｃ２以上である場合には（ステップＳ８０；Ｃ２≦Ｒ３）、制御部１１は、分割エリア情報ＤＢ１５４のエリアｋの運動健康リスク累計大に１を加算する（ステップＳ８３）。
【０１４６】
ステップＳ８１、ステップＳ８２又はステップＳ８３の後、制御部１１は、記憶部１５の閾値ＤＢ１５５から個人記録健康リスクの閾値Ｄ１，Ｄ２を取得し、利用者ｉの個人記録健康リスクＲ４を閾値Ｄ１，Ｄ２と比較する（ステップＳ８４）。
利用者ｉの個人記録健康リスクＲ４が閾値Ｄ１未満である場合には（ステップＳ８４；Ｒ４＜Ｄ１）、制御部１１は、分割エリア情報ＤＢ１５４のエリアｋの記録健康リスク累計小に１を加算する（ステップＳ８５）。
ステップＳ８４において、利用者ｉの個人記録健康リスクＲ４が閾値Ｄ１以上かつ閾値Ｄ２未満である場合には（ステップＳ８４；Ｄ１≦Ｒ４＜Ｄ２）、制御部１１は、分割エリア情報ＤＢ１５４のエリアｋの記録健康リスク累計中に１を加算する（ステップＳ８６）。
ステップＳ８４において、利用者ｉの個人記録健康リスクＲ４が閾値Ｄ２以上である場合には（ステップＳ８４；Ｄ２≦Ｒ４）、制御部１１は、分割エリア情報ＤＢ１５４のエリアｋの記録健康リスク累計大に１を加算する（ステップＳ８７）。
【０１４７】
ステップＳ８５、ステップＳ８６、ステップＳ８７の後、制御部１１は、ｉに１を加算し（ステップＳ６５）、ステップＳ６２に戻る。
ステップＳ６２において、ｉが利用者ＩＤ最終値より大きい場合（ステップＳ６２；ＮＯ）、すなわち、全ての利用者について処理が終了した場合には、健康リスク累計処理が終了し、図２１に戻る。
【０１４８】
ステップＳ５１の後、制御部１１は、エリアごとに、エリア生活健康リスク、エリア食事健康リスク、エリア運動健康リスク、エリア記録健康リスク、エリア総合健康リスクを算出する（ステップＳ５２）。
【０１４９】
エリア生活健康リスクは、分割エリア情報ＤＢ１５４の対象エリアの生活健康リスク累計小、生活健康リスク累計中、生活健康リスク累計大、閾値ＤＢ１５５のエリア生活健康リスクの係数Ｅ１，Ｅ２，Ｅ３を用いて、以下の式（１）により求められる。
エリア生活健康リスク＝生活健康リスク累計小×Ｅ１＋生活健康リスク累計中×Ｅ２＋生活健康リスク累計大×Ｅ３      （１）
【０１５０】
エリア食事健康リスクは、分割エリア情報ＤＢ１５４の対象エリアの食事健康リスク累計小、食事健康リスク累計中、食事健康リスク累計大、閾値ＤＢ１５５のエリア食事健康リスクの係数Ｅ１１，Ｅ１２，Ｅ１３を用いて、以下の式（２）により求められる。
エリア食事健康リスク＝食事健康リスク累計小×Ｅ１１＋食事健康リスク累計中×Ｅ１２＋食事健康リスク累計大×Ｅ１３      （２）
【０１５１】
エリア運動健康リスクは、分割エリア情報ＤＢ１５４の対象エリアの運動健康リスク累計小、運動健康リスク累計中、運動健康リスク累計大、閾値ＤＢ１５５のエリア運動健康リスクの係数Ｅ２１，Ｅ２２，Ｅ２３を用いて、以下の式（３）により求められる。
エリア運動健康リスク＝運動健康リスク累計小×Ｅ２１＋運動健康リスク累計中×Ｅ２２＋運動健康リスク累計大×Ｅ２３      （３）
【０１５２】
エリア記録健康リスクは、分割エリア情報ＤＢ１５４の対象エリアの記録健康リスク累計小、記録健康リスク累計中、記録健康リスク累計大、閾値ＤＢ１５５のエリア記録健康リスクの係数Ｅ３１，Ｅ３２，Ｅ３３を用いて、以下の式（４）により求められる。
エリア記録健康リスク＝記録健康リスク累計小×Ｅ３１＋記録健康リスク累計中×Ｅ３２＋記録健康リスク累計大×Ｅ３３      （４）
【０１５３】
エリア総合健康リスクは、対象エリアのエリア生活健康リスク、エリア食事健康リスク、エリア運動健康リスク、エリア記録健康リスクを用いて、以下の式（５）により求められる。
エリア総合健康リスク＝エリア生活健康リスク＋エリア食事健康リスク＋エリア運動健康リスク＋エリア記録健康リスク      （５）
【０１５４】
次に、制御部１１は、エリアごとに算出されたエリア生活健康リスク、エリア食事健康リスク、エリア運動健康リスク、エリア記録健康リスク、エリア総合健康リスクを、分割エリア情報ＤＢ１５４に格納する（ステップＳ５３）。
以上で、健康リスク算出処理が終了する。
【０１５５】
＜健康イベント設定処理＞
図２６は、自治体サーバー１０により実行される健康イベント設定処理を示すフローチャートである。この処理は、自治体端末４０からの操作に応じて健康イベントを設定する処理であって、制御部１１と記憶部１５に記憶されているプログラムとの協働によるソフトウェア処理によって実現される。
【０１５６】
ステップＳ９１〜ステップＳ９３の処理は、エリア情報設定処理のステップＳ２１〜ステップＳ２３の処理と同様であるため、説明を省略する。
自治体端末４０の表示部４３に表示される自治体のホーム画面には、イベント設定ボタンが含まれる。自治体職員は、操作部４２からの操作により、イベント設定ボタンを押下する。本実施の形態では、イベント設定ボタンの押下が、各エリアのエリア健康リスクに対する公開要求に相当する。
【０１５７】
自治体サーバー１０において、制御部１１は、自治体端末４０においてイベント設定が選択されたこと（イベント設定ボタンの押下）を示す情報を、通信部１２を介して取得すると（ステップＳ９４）、イベント設定画面を表示するための表示用データを生成し、自治体端末４０に対し、通信部１２を介してイベント設定画面を表示するための表示用データを送信する（ステップＳ９５）。
【０１５８】
制御部１１は、イベント設定画面を生成するに当たり、記憶部１５の分割エリア情報ＤＢ１５４から、エリアごとのエリア生活健康リスク、エリア食事健康リスク、エリア運動健康リスク、エリア記録健康リスク、エリア総合健康リスクを取得し、エリアごとに、エリア生活健康リスク、エリア食事健康リスク、エリア運動健康リスク、エリア記録健康リスク、エリア総合健康リスクが「健康リスク小」、「健康リスク中」、「健康リスク大」のいずれに分類されるかを判断する。例えば、制御部１１は、記憶部１５の閾値ＤＢ１５５からエリア生活健康リスクの閾値Ａ１１，Ａ１２を取得し、各エリアのエリア生活健康リスクを閾値Ａ１１，Ａ１２と比較する。エリア生活健康リスクが閾値Ａ１１未満である場合には、「健康リスク小」と判断し、エリア生活健康リスクが閾値Ａ１１以上かつ閾値Ａ１２未満である場合には、「健康リスク中」と判断し、エリア生活健康リスクが閾値Ａ１２以上である場合には、「健康リスク大」と判断する。エリア食事健康リスク、エリア運動健康リスク、エリア記録健康リスク、エリア総合健康リスクについても同様である。
【０１５９】
自治体端末４０では、表示部４３にイベント設定画面が表示される。
図２７（ａ）に、自治体端末４０の表示部４３に表示される地図形式のイベント設定画面４３２の例を示す。
地図形式のイベント設定画面４３２には、エリア選択領域１０１、施設選択領域１０４、表示対象健康リスク選択領域１０５、リスト表示ボタン１０６等が含まれる。
【０１６０】
エリア選択領域１０１には、自治体領域の地図上に、エリアごとのエリア健康リスクの程度（小・中・大）が識別可能に重ね合わされて、表示される。エリア選択領域１０１は、エリア情報設定処理で設定された複数のエリア１０２に分割されている。図２７（ｂ）は、一つのエリア１０２の拡大模式図である。エリア１０２は、四つの領域１０３Ａ，１０３Ｂ，１０３Ｃ，１０３Ｄに分割されている。領域１０３Ａ，１０３Ｂ，１０３Ｃ，１０３Ｄは、それぞれ、エリア生活健康リスク、エリア食事健康リスク、エリア運動健康リスク、エリア記録健康リスクに対応しており、エリア１０２の各エリア健康リスクが「小」「中」「大」のいずれに分類されるかが表示される。例えば、各領域１０３Ａ，１０３Ｂ，１０３Ｃ，１０３Ｄがエリア健康リスクの程度（小・中・大）に応じた色やパターン等で表示される。
自治体職員は、各エリア１０２内の領域１０３Ａ，１０３Ｂ，１０３Ｃ，１０３Ｄを確認することで、エリアごとのエリア健康リスクの程度を把握することができる。
【０１６１】
施設選択領域１０４には、エリア選択領域１０１の地図上に表示させる施設を選択するためのボタンが含まれる。施設選択領域１０４において、自治体職員が表示させたい施設を選択すると、自治体サーバー１０の制御部１１は、選択された施設の経度及び緯度を記憶部１５の施設位置ＤＢ１５２から取得し、選択された施設の位置をエリア選択領域１０１の地図上に表示させる。
【０１６２】
表示対象健康リスク選択領域１０５は、エリア選択領域１０１において、識別可能に表示されるエリア健康リスクの種類（エリア生活健康リスク、エリア食事健康リスク、エリア運動健康リスク、エリア記録健康リスク）を選択するための領域である。
リスト表示ボタン１０６は、リスト形式のイベント設定画面４３３（図２８参照）に切り替えるためのボタンである。
【０１６３】
図２８に、自治体端末４０の表示部４３に表示されるリスト形式のイベント設定画面４３３の例を示す。リスト形式のイベント設定画面４３３には、健康リスク表示リスト１１１、地図表示ボタン１１２が含まれる。
【０１６４】
健康リスク表示リスト１１１には、エリア総合健康リスク欄１１１Ａ、エリア生活健康リスク欄１１１Ｂ、エリア食事健康リスク欄１１１Ｃ、エリア運動健康リスク欄１１１Ｄ、エリア記録健康リスク欄１１１Ｅ、エリア表示欄１１１Ｆが含まれる。
エリア総合健康リスク欄１１１Ａ、エリア生活健康リスク欄１１１Ｂ、エリア食事健康リスク欄１１１Ｃ、エリア運動健康リスク欄１１１Ｄ、エリア記録健康リスク欄１１１Ｅには、エリアごとのエリア健康リスクの程度（小・中・大）が識別可能に表示される。
エリア表示欄１１１Ｆには、該当するエリアの起点（エリア起点経度、エリア起点緯度）及び終点（エリア終点経度、エリア終点緯度）を示す情報が表示される。
地図表示ボタン１１２は、地図形式のイベント設定画面４３２（図２７（ａ）参照）に切り替えるためのボタンである。
【０１６５】
自治体職員は、操作部４２からの操作により、地図形式のイベント設定画面４３２のエリア選択領域１０１、又は、リスト形式のイベント設定画面４３３の健康リスク表示リスト１１１において、イベントを設定するエリアを選択する。例えば、イベントの企画担当者である職員は、エリア生活健康リスク、エリア食事健康リスク、エリア運動健康リスク又はエリア記録健康リスクについて、「健康リスク大」と判断されたエリアを、健康イベントが必要なエリアとして選択する。
【０１６６】
自治体サーバー１０の制御部１１は、自治体端末４０において選択された、イベントを設定するエリア（選択エリア）を、通信部１２を介して取得する（ステップＳ９６）。
【０１６７】
次に、制御部１１は、選択エリアに対するイベント抽出処理を行う（ステップＳ９７）。
ここで、図２９を参照して、イベント抽出処理について説明する。
【０１６８】
制御部１１は、記憶部１５の分割エリア情報ＤＢ１５４から、選択エリアのエリア生活健康リスク、エリア食事健康リスク、エリア運動健康リスク、エリア記録健康リスクを取得する（ステップＳ１０１）。
【０１６９】
次に、制御部１１は、記憶部１５の閾値ＤＢ１５５からエリア生活健康リスクの閾値Ａ１２を取得し、選択エリアのエリア生活健康リスクが閾値Ａ１２以上であるか否かを判断する（ステップＳ１０２）。すなわち、制御部１１は、選択エリアのエリア生活健康リスクが「健康リスク大」であるか否かを判断する。
選択エリアのエリア生活健康リスクが閾値Ａ１２以上である場合には（ステップＳ１０２；ＹＥＳ）、制御部１１は、設定すべき健康イベントのジャンルとして、「エリア生活健康リスク」に対応付けられた「生活指導／メンタル相談」を抽出する（ステップＳ１０３）。
【０１７０】
ステップＳ１０３の後、又は、ステップＳ１０２において、選択エリアのエリア生活健康リスクが閾値Ａ１２未満である場合には（ステップＳ１０２；ＮＯ）、制御部１１は、記憶部１５の閾値ＤＢ１５５からエリア食事健康リスクの閾値Ｂ１２を取得し、選択エリアのエリア食事健康リスクが閾値Ｂ１２以上であるか否かを判断する（ステップＳ１０４）。すなわち、制御部１１は、選択エリアのエリア食事健康リスクが「健康リスク大」であるか否かを判断する。
選択エリアのエリア食事健康リスクが閾値Ｂ１２以上である場合には（ステップＳ１０４；ＹＥＳ）、制御部１１は、設定すべき健康イベントのジャンルとして、「エリア食事健康リスク」に対応付けられた「食事指導」を抽出する（ステップＳ１０５）。
【０１７１】
ステップＳ１０５の後、又は、ステップＳ１０４において、選択エリアのエリア食事健康リスクが閾値Ｂ１２未満である場合には（ステップＳ１０４；ＮＯ）、制御部１１は、記憶部１５の閾値ＤＢ１５５からエリア運動健康リスクの閾値Ｃ１２を取得し、選択エリアのエリア運動健康リスクが閾値Ｃ１２以上であるか否かを判断する（ステップＳ１０６）。すなわち、制御部１１は、選択エリアのエリア運動健康リスクが「健康リスク大」であるか否かを判断する。
選択エリアのエリア運動健康リスクが閾値Ｃ１２以上である場合には（ステップＳ１０６；ＹＥＳ）、制御部１１は、設定すべき健康イベントのジャンルとして、「エリア運動健康リスク」に対応付けられた「健康体操／ウォーキング」を抽出する（ステップＳ１０７）。
【０１７２】
ステップＳ１０７の後、又は、ステップＳ１０６において、選択エリアのエリア運動健康リスクが閾値Ｃ１２未満である場合には（ステップＳ１０６；ＮＯ）、制御部１１は、記憶部１５の閾値ＤＢ１５５からエリア記録健康リスクの閾値Ｄ１２を取得し、選択エリアのエリア記録健康リスクが閾値Ｄ１２以上であるか否かを判断する（ステップＳ１０８）。すなわち、制御部１１は、選択エリアのエリア記録健康リスクが「健康リスク大」であるか否かを判断する。
選択エリアのエリア記録健康リスクが閾値Ｄ１２以上である場合には（ステップＳ１１８；ＹＥＳ）、制御部１１は、設定すべき健康イベントのジャンルとして、「エリア記録健康リスク」に対応付けられた「食生活改善指導」を抽出する（ステップＳ１０９）。
【０１７３】
ステップＳ１０９の後、又は、ステップＳ１０８において、選択エリアのエリア記録健康リスクが閾値Ｄ１２未満である場合には（ステップＳ１０８；ＮＯ）、イベント抽出処理が終了し、図２６に戻る。
【０１７４】
ステップＳ９７の後、制御部１１は、イベント詳細設定画面を表示するための表示用データを生成し、自治体端末４０に対し、通信部１２を介してイベント詳細設定画面を表示するための表示用データを送信する（ステップＳ９８）。
【０１７５】
自治体端末４０では、表示部４３にイベント詳細設定画面が表示される。
図３０に、自治体端末４０の表示部４３に表示されるイベント詳細設定画面４３４の例を示す。
イベント詳細設定画面４３４には、エリア健康リスク表示領域１２１、コメント表示領域１２２、イベント選択チェックボックス１２３Ａ，１２３Ｂ，１２３Ｃ、開催日時選択領域１２４、開催場所選択領域１２５、設定ボタン１２６、キャンセルボタン１２７が含まれる。
エリア健康リスク表示領域１２１には、選択エリアのエリア健康リスクの程度（小・中・大）が表示される。具体的には、選択エリアのエリア総合健康リスク、エリア生活健康リスク、エリア食事健康リスク、エリア運動健康リスク、エリア記録健康リスクのそれぞれについて、「健康リスク小」、「健康リスク中」、「健康リスク大」のいずれに分類されるかが表示される。
コメント表示領域１２２には、選択エリアに居住する住民の健康情報・医療情報ファイルの解析により得られたコメント（健康状態の特徴、傾向等）が表示される。
【０１７６】
イベント選択チェックボックス１２３Ａ，１２３Ｂ，１２３Ｃは、イベント抽出処理において抽出された健康イベントのジャンル（候補）に対し、実際にイベントを実施するか否かを選択するためのものである。
開催日時選択領域１２４は、イベント選択チェックボックス１２３Ａ，１２３Ｂ，１２３Ｃにおいて実施することが選択された健康イベントについて、開催日時を選択するための領域である。
開催場所選択領域１２５は、イベント選択チェックボックス１２３Ａ，１２３Ｂ，１２３Ｃにおいて実施することが選択された健康イベントについて、開催場所を選択するための領域である。開催場所選択領域１２５において、健康イベントの開催場所が選択されると、開催場所選択領域１２５の右側に、開催場所と選択エリアの中心位置との距離が表示される。
設定ボタン１２６は、イベント詳細設定画面４３４において入力された内容の設定を指示するためのボタンである。
キャンセルボタン１２７は、イベント詳細設定画面４３４における設定のキャンセルを指示するためのボタンである。
自治体職員は、操作部４２からの操作により、実施する健康イベント、イベントの開催日時、開催場所を選択する。
【０１７７】
自治体サーバー１０の制御部１１は、自治体端末４０において選択された、実施する健康イベント、イベントの開催日時、開催場所を、通信部１２を介して取得する（ステップＳ９９）。
次に、制御部１１は、新たに設定された健康イベントのイベント情報を、記憶部１５のイベントＤＢ１５６に保存する（ステップＳ１００）。具体的には、制御部１１は、新たなイベント情報として、開催エリア（選択エリア）、健康イベント名、開催日時、開催場所をイベントＤＢ１５６に追加し、イベント数に１を加算する。
以上で、健康イベント設定処理が終了する。
【０１７８】
以上説明したように、本実施の形態によれば、自治体サーバー１０は、住民のそれぞれについて算出された個人健康リスク及び住民のそれぞれの居住位置に基づいて、予め設定された複数のエリアごとにエリア健康リスク（エリア生活健康リスク、エリア食事健康リスク、エリア運動健康リスク、エリア記録健康リスク、エリア総合健康リスク）を算出するので、健康に関する健康情報について、解析対象地域全体より狭い領域（エリア）ごとの解析結果を提供することができる。また、医療情報についても同様である。
【０１７９】
具体的には、自治体サーバー１０は、エリアごとに算出されたエリア健康リスクを自治体端末４０に対して公開するので、自治体端末４０からエリアごとのエリア健康リスクを閲覧することができる。これにより、自治体職員は、エリアごとのエリア健康リスクを参照しながら、各エリアに適した健康イベントを企画することができる。
【０１８０】
また、イベント抽出処理では、選択エリアについて、「健康リスク大」と判断されたエリア健康リスクの種類（生活、食事、運動、記録）に応じた健康イベントのジャンルを抽出するので、抽出された健康イベントのジャンルを自治体端末４０のイベント詳細設定画面４３４内に表示させることができる。これにより、自治体職員に対し、設定すべき健康イベントの候補を提示することができる。
【０１８１】
なお、上記実施の形態における記述は、本発明に係る健康情報管理システムの例であり、これに限定されるものではない。システムを構成する各装置の細部構成及び細部動作に関しても本発明の趣旨を逸脱することのない範囲で適宜変更可能である。
【０１８２】
例えば、上記実施の形態では、自治体領域を複数のエリアに分割する際に、各エリアが矩形領域となるようにしたが、どのような形状のエリアに分割するかは、任意に変更可能とする。
また、健康情報のみに基づいて個人健康リスク及びエリア健康リスクを算出することとしてもよいし、医療情報のみに基づいて個人健康リスク及びエリア健康リスクを算出することとしてもよい。
【０１８３】
また、イベント抽出処理のステップＳ１０３，Ｓ１０５，Ｓ１０７，Ｓ１０９において抽出される健康イベントのジャンルは一例であり、これに限定されるものではない。
【０１８４】
また、健康情報については、住民端末２０にインストールされているアプリケーションソフトウェアによって、住民端末２０から自治体サーバー１０に自動的に登録されることとしてもよい。
【０１８５】
また、上記実施の形態では、健康情報管理システムとして、自治体が運営する自治体サーバー１０により住民の健康情報や医療情報が管理されているものについて説明したが、これに限定されない。
【０１８６】
以上の説明では、各処理を実行するためのプログラムを格納したコンピューター読み取り可能な媒体としてＨＤＤや不揮発性の半導体メモリーを使用した例を公開したが、この例に限定されない。その他のコンピューター読み取り可能な媒体として、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１８７】
１０  自治体サーバー
１１  制御部
１２  通信部
１４  計時部
１５  記憶部
２０  住民端末
３０  医療機関端末
４０  自治体端末
５０  地図情報提供装置
１００  健康情報管理システム
１５１  利用者ＤＢ
１５２  施設位置ＤＢ
１５３  自治体領域情報ＤＢ
１５４  分割エリア情報ＤＢ
１５５  閾値ＤＢ
１５６  イベントＤＢ
１５７  ファイル格納部
Ｎ  通信ネットワーク
【図１】
2019185408.tif 000003
【図２】
2019185408.tif 000004
【図３】
2019185408.tif 000005
【図４】
2019185408.tif 000006
【図５】
2019185408.tif 000007
【図６】
2019185408.tif 000008
【図７】
2019185408.tif 000009
【図８】
2019185408.tif 000010
【図９】
2019185408.tif 000011
【図１０】
2019185408.tif 000012
【図１１】
2019185408.tif 000013
【図１２】
2019185408.tif 000014
【図１３】
2019185408.tif 000015
【図１４】
2019185408.tif 000016
【図１５】
2019185408.tif 000017
【図１６】
2019185408.tif 000018
【図１７】
2019185408.tif 000019
【図１８】
2019185408.tif 000020
【図１９】
2019185408.tif 000021
【図２０】
2019185408.tif 000022
【図２１】
2019185408.tif 000023
【図２２】
2019185408.tif 000024
【図２３】
2019185408.tif 000025
【図２４】
2019185408.tif 000026
【図２５】
2019185408.tif 000027
【図２６】
2019185408.tif 000028
【図２７】
2019185408.tif 000029
【図２８】
2019185408.tif 000030
【図２９】
2019185408.tif 000031
【図３０】
2019185408.tif 000032